(57)【要約】【課題】  網戸を室内側又は室外側からみた場合において、網戸の桟を隠蔽し、シンプルな印象を与えることを可能とする開口部装置を提供する。【解決手段】  建物開口部の縁に沿って設けられた枠材１０と、枠材内に配置された障子２０と、障子より室内側又は室外側の枠材内に配置された網戸５０とを備え、網戸の網材５２の外周部分が、網戸の桟５１の室内側端面又は室外側端面を全周に渡り室内側又は室外側から覆うように網戸の桟に取り付けられることにより、網戸を室内又は室外から見た場合に網戸の桟の全体が隠蔽されることを特徴とする。【選択図】      図４
2006249729.tif 000002
【特許請求の範囲】
【請求項１】
建物開口部の縁に沿って設けられた枠材と、
前記枠材内に配置された障子と、
前記障子より室内側の前記枠材内に配置された網戸と、を備え、
前記網戸の網材の外周部分が、前記網戸の桟の室内側端面を全周に渡り室内側から覆うように前記網戸の桟に取り付けられることにより、前記網戸を室内から見た場合に前記網戸の桟の全体が隠蔽されることを特徴とする開口部装置。
【請求項２】
建物開口部の縁に沿って設けられた枠材と、
前記枠材内に配置された障子と、
前記障子より室外側の前記枠材内に配置された網戸と、を備え、
前記網戸の網材の外周部分が、前記網戸の桟の室外側端面を全周に渡り室外側から覆うように前記網戸の桟に取り付けられることにより、前記網戸を室外から見た場合に前記網戸の桟の全体が隠蔽されることを特徴とする開口部装置。
【発明の詳細な説明】
【技術分野】
【０００１】
本発明は、住宅や公共施設等の建物開口部に好適に用いられる開口部装置に関する。
【背景技術】
【０００２】
近年建物の洋風化がこれまで以上に進み、いわゆるモダンなデザインである洋風建物が増加している。このような洋風建物では建物の形そのものだけでなく、建物を構成する各要素の随所にも洋風なデザインが採り入れられている。
【０００３】
洋風なデザインの建物の中でも、その建物にシンプルな印象を与える「シンプルモダン住宅」と呼ばれるデザインが好まれる傾向にある。これは、建物を構成する各要素にできるだけシンプルな印象を与えるデザインを採用し、建物全体の外観や室内にシンプルな印象を与えるというものである。窓はかかる建物において重要な要素の１つである。建物の窓は室内外の換気及び採光の手段としての機能を有するに留まらず、建物の印象を決める重要な役割を果たしている。例えば窓の配置や形が異なると、同じ形状の建物でもその雰囲気は全く異なるものとなることが知られている。
【０００４】
従来において、開口部装置、特に開閉可能である開口部装置は、開口部の縁に配置された枠材と、該枠材内に配置された障子及び、該障子の室外又は室内側に設けられた網戸とを主要部材として備えていた。さらに網戸に着目すると、網戸の桟と該網戸の桟の内側に設けられた網戸の網材とから構成されていた。
【発明の開示】
【発明が解決しようとする課題】
【０００５】
しかし、網戸が障子より室内側に備えられている場合に網戸を室内側から見たとき、又は、網戸が室外側に備えられている場合に網戸を室外側から見たとき、建物の壁と網戸の網材との間に網戸の桟が見え、網戸の桟により開口部が縁取られているような印象を与え、シンプルな印象でなくなってしまうという問題があった。
【０００６】
そこで、本発明は、網戸を室内側又は室外側からみた場合において、網戸の桟を隠蔽し、シンプルな印象を与えることを可能とする開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、建物開口部の縁に沿って設けられた枠材（１０）と、枠材内に配置された障子（２０）と、障子より室内側の枠材内に配置された網戸（５０）とを備え、網戸の網材（５２）の外周部分が、網戸の桟（５１）の室内側端面を全周に渡り室内側から覆うように網戸の桟に取り付けられることにより、網戸を室内から見た場合に網戸の桟の全体が隠蔽されることを特徴とする開口部装置により前記課題を解決する。
【０００９】
ここで「隠蔽する」には、完全に見えなくするという意味の他に、一部を見えなくする及び不明瞭にする等の「見え難くする」の意味も含む。これは例えば網戸の網材の目の細かさによって、網戸の桟が完全に見えなくなる場合や網戸の桟が見え難くなる場合等が挙げられる。
【００１０】
請求項２の発明は、建物開口部の縁に沿って設けられた枠材（１０）と、枠材内に配置された障子（２０）と、障子より室外側の枠材内に配置された網戸（５０）とを備え、網戸の網材（５２）の外周部分が、網戸の桟（５１）の室外側端面を全周に渡り室外側から覆うように網戸の桟に取り付けられることにより、網戸を室外から見た場合に網戸の桟の全体が隠蔽されることを特徴とする開口部装置により前記課題を解決する。
【発明の効果】
【００１１】
請求項１の発明によれば、網戸が障子より室内側に取り付けられた場合に、室内から網戸を見ても網戸の桟が見えず、建物の開口部には網戸の網材しか見えないので開口部に非常にシンプルな印象を与えることができる。
【００１２】
請求項２の発明によれば、網戸が障子より室外側に取り付けられた場合に、室外から網戸を見ても網戸の桟が見えず、建物の開口部には網戸の網材しか見えないので開口部に非常にシンプルな印象を与えることができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。
【００１５】
図１は、本発明の開口部装置１００を備えた建物１０００の外観を示す正面図である。建物１０００は、１階部分及び２階部分からなり、各階に開口部を有している。開口部には１階部分においては玄関１５０や窓１６０が備えられ、２階部分にも窓１７０が備えられる。２階部分にはさらに小さめの開口部が設けられ、開口部装置１００が取り付けられる。図１において、開口部装置１００は比較的小さな開口に適用されているが、本発明の開口部装置はあらゆる大きさの開口部に適用可能である。また、建物の種類も住宅には限定されず、公共施設、オフィス及び店舗等の大型建物にも適用できる。
【００１６】
図２（Ａ）は、開口部装置１００を室内側から見た正面図である。開口部装置１００においては障子２０（図４参照）より室内側に網戸５０が備えられている。図２（Ｂ）は従来の開口部装置５００の室内側正面図を比較のために示したものである。図２（Ｂ）のように、開口部装置５００においては、建物室内の壁２０１と網戸の網材５５２との間に網戸の桟５５１が見えている。一方、図２（Ａ）のように開口部装置１００を室内側から見た場合、建物室内の壁２０１と、網戸の網材５２が見え、網戸の桟５１が見えない。従って、開口部に非常にシンプルである印象を与えることができる。
【００１７】
開口部装置１００は円形の開口部装置１００としたが、円形に限る必要はなく、形状は特に限定されない。図３（Ａ）は、本発明の異なる実施形態である開口部装置６００の室内側正面図である。開口部装置６００は矩形の開口部に本発明を適用した形態である。また、図３（Ｂ）は、従来の矩形の開口部装置７００の室内側正面図を比較のために示したものである。図３（Ｂ）のように、開口部装置７００においては、建物室内の壁２０１と網戸の網材７５２との間に網戸の桟７５１が見えている。一方、図３（Ａ）のように開口部装置６００を室内側から見た場合、建物室内の壁２０１と、網戸の網材６５２が見え、網戸の桟６５１が見えない。従って、開口部に非常にシンプルである印象を与えることができる。このように、本発明は矩形の開口部装置にも適用できる。
【００１８】
また、網戸の位置は障子より室内側に配置される場合に限る必要はなく、障子より室外側に設置されてもよい。その場合には、開口部を室外からみたときに、建物室外側の壁と網戸の網材が見え、網戸の桟が見えないことにより非常にシンプルである印象を与えることができる。
【００１９】
図４は、開口部装置１００の主要部材を示した分解斜視図である。図４において紙面右上が室外側、紙面左下が室内側である。開口部装置１００は室外側から、障子２０と、枠材１０と、網戸５０をこの順に備え、さらに該網戸５０は網戸の桟５１と網戸の網材５２とを室外側からこの順に備えている。そして、建物の開口部の縁に沿って枠材１０が取り付けられ、該枠材１０内の室内側に障子２０が配置される。枠材１０の障子２０より室内側には網戸５０が配置される。
【００２０】
次に網戸５０の構造について説明する。図５は、網戸の桟５１と網戸の網材５２との一方における取り付け部分に着目して拡大した網戸５０の水平断面上面図である。紙面上方が室外側、紙面下方が室内側である。網戸の桟５１は、室内外方向に対し略鉛直である部材５１ａ、５１ｂ、５１ｃと、部材５１ａの一端と部材５１ｂを連結する部材５１ｄと、部材５１ｂの部材５１ｄと連結された一端とは反対の一端と５１ｃの一端とを連結する５１ｅとを有し、部材５１ａ、５１ｂ、５１ｃ、５１ｄ、５１ｅで略Ｓ字の形状となっている。さらに網戸の桟５１は、部材５１ｃの部材５１ｅが連結されている一端とは反対の一端から室外方向に部材５１ｆが延設され、さら部材５１ｆの室外方向端部には円形に曲げられた部材５１ｇが延設されている。以上の部材５１ａ、５１ｂ、５１ｃ、５１ｄ、５１ｅ、５１ｆ、５１ｇは一体に形成されている。
【００２１】
一方、網戸の網材５２は、その端部を部材５１ａと部材５１ｂとの間に配置され、部材５１ａの５１ｄが連結されていない端部から、部材５１ａの室内側を覆うように配置される。従って、網戸の網材５２の端部が部材５１ａを室内側から包むように取り付けられている。さらに図５で示した側と対向する反対側の他端においても、網戸の網材５２は網戸の桟５１に上述と同様の構造で取り付けられている。よって、網戸５０全体としては、網戸の網材の外周部分が、網戸の桟の室内側端面を全周に渡り室内側から覆うように前記網戸の桟に取り付けられる。これにより網戸を室内から見た場合に網戸の桟の全体が隠蔽され、開口部装置１００がシンプルな印象を与えることができる。また、網戸５０の枠材１０内への取り付けは、部材５１ｇを枠材１０の内面へ接するように差し込むことで行われる。
【００２２】
次に、網戸の網材５２の網戸の桟５１への固定方法を説明する。図６は、網戸の桟５１と網戸の網材５２との固定前後の様子を示す、一方の固定部分に着目して拡大した網戸５０の水平断面上面図である。図６（Ａ）が固定前、図６（Ｂ）が固定後を示す図である。図６（Ａ）に示すように、固定前の網戸の桟５１における部材５１ａ、５１ｂ及び５１ｃの間隔は、図６（Ｂ）に示した固定後の網戸の桟５１における部材５１ａ、５１ｂ及び５１ｃの間隔に比べて広い。このことにより部材５１ａと部材５１ｂとの間に網戸の網材５２の端部を容易に挿入することができる。しかしこの状態では、網戸の桟５１と網戸の網材５２とは固定されておらず、網戸の網材５２は網戸の桟５１から容易に離脱してしまう。そこで図６（Ａ）に示した状態から、図中に示した直線矢印の方向に、部材５１ａ及び部材５１ｃに外力を加える。すると部材５１ａ、部材５１ｂ及び部材５１ｃの間隔は縮まり、図６（Ｂ）に示した状態となる。これにより網戸の網材５２の端部は部材５１ａと５１ｂとの間に固定され、容易には離脱しない。以上のようにして網戸の桟５１と網戸の網材５２とが固定される。
【００２３】
開口部装置１００には、障子２０の開閉のため不図示の機構が備えられる。障子２０の開閉のための機構にはいくつかの方法が考えられる。例えば網戸５０と枠材１０とをいずれか１箇所で蝶番により連結し、網戸を開閉可能とすることにより網戸を開放し、網戸の室外側に配置されている障子２０を開閉操作する方法が挙げられる。また、網戸５０を枠材１０と開閉不可能に取り付け、網材５２の一部を取り去り、取り去ることによりできた開口部分を通じて、障子２０を開閉するための機構を取り付けてもよい。さらに、開口部装置が矩形の引き違い窓のようであってもよいので、網戸が開口部に平行にスライドする場合も考えられる。いずれの場合においても、網戸を室外又は室内から見たときに網戸の桟は網戸の網材によって隠蔽され、見えなくなっており、シンプルな印象を与えることができる。
【００２４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００２５】
【図１】本発明の１つの実施形態にかかる開口部装置が備えられる建物の正面図である。
【図２】本発明の１つの実施形態にかかる開口部装置の室内側正面図（Ａ）及び従来の開口部装置の室内側正面図（Ｂ）である。
【図３】本発明の他の実施形態にかかる開口部装置の室内側正面図（Ａ）及び従来の開口部装置の室内側正面図（Ｂ）である。
【図４】本発明の１つの実施形態にかかる開口部装置の分解斜視図である。
【図５】網戸の水平断面における網戸の桟と網戸の網材との一方の固定部分を拡大して示す上面図である。
【図６】網戸の桟と網戸の網材との固定方法を示す図である。
【符号の説明】
【００２６】
１０  枠材
２０  障子
５０  網戸
５１  網戸の桟
５２  網材
１００  開口部装置
２００  建物室外側壁
２０１  建物室内側壁
５００  開口部装置
５５０  網戸
６００  開口部装置
６５０  網戸
７００  開口部装置
７５０  網戸
１０００  建物
【図１】
2006249729.tif 000003
【図２】
2006249729.tif 000004
【図３】
2006249729.tif 000005
【図４】
2006249729.tif 000006
【図５】
2006249729.tif 000007
【図６】
2006249729.tif 000008